(57)【要約】【課題】スパッタの除去と溶接ワイヤの切断とを行うことができ、且つ、誤操作を防いで使い勝手がよく、しかも、コンパクトでシンプルな構造の溶接トーチ置台を提供する。【解決手段】トーチ保持体３の中空部３１ａに溶接トーチ１０の先端側を挿入する際、エアモータ５で回転可能なスパッタ除去体６がコンタクトチップ１１とトーチノズル１０ｂとの間に入り込む。操作レバー４はその先端に固定されたレバー支軸４ａによりトーチ保持体３に回動可能に軸支される。レバー支軸４ａには、操作レバー４のＸ１方向への回動操作による回転でエアモータ５を起動させる一方、Ｘ２方向への回動操作による回転でエアモータ５を停止させるモータ操作部１３と、操作レバー４のＸ２方向への回動操作による回転で溶接ワイヤＷを切断する切断部９とが設けられる。【選択図】図２
2015205314.tif 000002
【特許請求の範囲】
【請求項１】
先端にコンタクトチップが螺合連結されたトーチ本体及び該トーチ本体の先端側に上記コンタクトチップを囲うように取り付けられた筒状トーチノズルを有する半自動溶接機の溶接トーチを非溶接作業時に作業者が置いておくための溶接トーチ置台であって、
上端に開口する中空部を有し、該中空部に上記溶接トーチの先端側を挿入した状態で上記溶接トーチを保持するトーチ保持体と、
上記中空部に上記溶接トーチの先端側を挿入した際、当該溶接トーチの先端側から上記コンタクトチップと上記トーチノズルとの間に入り込むスパッタ除去体と、
該スパッタ除去体を上記溶接トーチ先端側の中心軸回りに回転させる駆動モータと、
先端に固定されたレバー支軸により上記トーチ保持体に回動可能に軸支された操作レバーとを備え、
上記レバー支軸には、上記操作レバーの一方側への回動操作による回転で上記駆動モータを起動させる一方、上記操作レバーの他方側への回動操作による回転で上記駆動モータを停止させるモータ操作部と、上記操作レバーの他方側への回動操作による回転で溶接ワイヤを切断する切断部とが設けられていることを特徴とする溶接トーチ置台。
【請求項２】
請求項１に記載の溶接トーチ置台において、
上記駆動モータは、エアを供給することで回転するエアモータであり、
上記トーチ保持体には、上記エアモータまでエアを供給するエア通路部が設けられ、
上記モータ操作部は、上記エア通路部の中途部に位置しており、上記レバー支軸の回転動作によって上記エア通路部を開閉する弁体であることを特徴とする溶接トーチ置台。
【請求項３】
請求項１又は２に記載の溶接トーチ置台において、
上記トーチ保持体には、上記レバー支軸が回転可能に嵌挿する嵌挿孔と、上記レバー支軸と交差する方向に延びて上記嵌挿孔に連通する第１ワイヤ挿入孔とが形成され、
上記レバー支軸には、上記レバー支軸外周面に開口する第２ワイヤ挿入孔が形成され、
上記切断部は、上記第２ワイヤ挿入孔の開口周縁で構成され、上記第１ワイヤ挿入孔に上記第２ワイヤ挿入孔を対応させ、且つ、上記溶接ワイヤを上記第１及び第２ワイヤ挿入孔に挿入した状態で上記レバー支軸を回転させることにより、上記第１ワイヤ挿入孔の嵌挿孔側周縁と上記切断部とで上記溶接ワイヤを挟み込んで切断するようになっていることを特徴とする溶接トーチ置台。
【請求項４】
請求項３に記載の溶接トーチ置台において、
上記第１ワイヤ挿入孔は、上記中空部の開口周りに形成されていることを特徴とする溶接トーチ置台。
【発明の詳細な説明】
【技術分野】
【０００１】
本発明は、半自動溶接機の溶接トーチを作業者が非溶接作業時に置いておく溶接トーチ置台に関する。
【背景技術】
【０００２】
従来より、例えば、特許文献１には、半自動溶接機を用いた溶接作業において、作業者が溶接作業を中断する際、溶接トーチを他の作業等の邪魔にならないように置いておく溶接トーチ置台が開示されている。
【０００３】
ところで、溶接作業を中断する際、次の溶接作業に備えて特許文献１の如き溶接トーチ置台に溶接トーチを置いた状態のままで溶接トーチの先端側に付着したスパッタを事前に取り除いておきたいという要望があり、これに対応するために、特許文献２に開示されているようなスパッタを除去する機能を溶接トーチ置台に持たせることが考えられる。
【０００４】
また、溶接トーチの先端に螺合連結されたコンタクトチップの交換作業を行うための事前作業として、溶接作業中に形成された溶接ワイヤ先端の玉状部分を予め切断しておく必要があるが、その切断作業を溶接作業の中断時にも行えるよう溶接ワイヤの切断機能を上述の如き溶接トーチ置台に加えたいという要望もある。
【先行技術文献】
【特許文献】
【０００５】
【特許文献１】特開２００２−１４４０４１号公報
【特許文献２】特開２０１３−９４８１８号公報
【発明の概要】
【発明が解決しようとする課題】
【０００６】
しかし、スパッタを除去する機能を持たせた溶接トーチ置台に溶接ワイヤの切断機能をも加える場合、単に各機能を溶接トーチ置台に加えただけでは溶接トーチ置台が複雑な構造で高価になってしまうとともに大型化するおそれがある。
【０００７】
また、溶接トーチ置台に２つの機能を持たせると、誤操作を繰り返して使い勝手の悪いものになってしまうおそれもある。
【０００８】
本発明は、斯かる点に鑑みてなされたものであり、その目的とするところは、スパッタの除去とワイヤの切断とを行うことができ、且つ、誤操作を防いで使い勝手がよく、しかも、コンパクトでシンプルな構造の溶接トーチ置台を提供することにある。
【課題を解決するための手段】
【０００９】
上記の目的を達成するために、本発明は、スパッタを除去する機能を操作する操作レバーの一部に溶接ワイヤの切断機能を持たせたことを特徴とする。
【００１０】
具体的には、先端にコンタクトチップが螺合連結されたトーチ本体及び該トーチ本体の先端側に上記コンタクトチップを囲うように取り付けられた筒状トーチノズルを有する半自動溶接機の溶接トーチを非溶接作業時に作業者が置いておくための溶接トーチ置台を対象とし、次のような解決手段を講じた。
【００１１】
すなわち、第１の発明では、上端に開口する中空部を有し、該中空部に上記溶接トーチの先端側を挿入した状態で上記溶接トーチを保持するトーチ保持体と、上記中空部に上記溶接トーチの先端側を挿入した際、当該溶接トーチの先端側から上記コンタクトチップと上記トーチノズルとの間に入り込むスパッタ除去体と、該スパッタ除去体を上記溶接トーチ先端側の中心軸回りに回転させる駆動モータと、先端に固定されたレバー支軸により上記トーチ保持体に回動可能に軸支された操作レバーとを備え、上記レバー支軸には、上記操作レバーの一方側への回動操作による回転で上記駆動モータを起動させる一方、上記操作レバーの他方側への回動操作による回転で上記駆動モータを停止させるモータ操作部と、上記操作レバーの他方側への回動操作による回転で溶接ワイヤを切断する切断部とが設けられていることを特徴とする。
【００１２】
第２の発明では、第１の発明において、上記駆動モータは、エアを供給することで回転するエアモータであり、上記トーチ保持体には、上記エアモータまでエアを供給するエア通路部が設けられ、上記モータ操作部は、上記エア通路部の中途部に位置しており、上記レバー支軸の回転動作によって上記エア通路部を開閉する弁体であることを特徴とする。
【００１３】
第３の発明では、第１又は第２の発明において、上記トーチ保持体には、上記レバー支軸が回転可能に嵌挿する嵌挿孔と、上記レバー支軸と交差する方向に延びて上記嵌挿孔に連通する第１ワイヤ挿入孔とが形成され、上記レバー支軸には、上記レバー支軸外周面に開口する第２ワイヤ挿入孔が形成され、上記切断部は、上記第２ワイヤ挿入孔の開口周縁で構成され、上記第１ワイヤ挿入孔に上記第２ワイヤ挿入孔を対応させ、且つ、上記溶接ワイヤを上記第１及び第２ワイヤ挿入孔に挿入した状態で上記レバー支軸を回転させることにより、上記第１ワイヤ挿入孔の嵌挿孔側周縁と上記切断部とで上記溶接ワイヤを挟み込んで切断するようになっていることを特徴とする。
【００１４】
第４の発明では、第３の発明において、上記第１ワイヤ挿入孔は、上記中空部の開口周りに形成されていることを特徴とする。
【発明の効果】
【００１５】
第１の発明では、中空部に溶接トーチを挿入した状態で操作レバーを一方側に回動させると、スパッタ除去体が回転しながらコンタクトチップ又はトーチノズルに付着したスパッタを剥がすので、溶接トーチを溶接トーチ置台に置いた状態で溶接トーチの先端側に付着するスパッタを簡単に取り除くことができる。また、溶接トーチ先端から飛び出す溶接ワイヤを切断する場合には、レバー支軸に設けられた切断部で行うことができる。さらに、スパッタを除去する機能と溶接ワイヤを切断する機能とを１つの操作レバーのレバー支軸に集約しており、スパッタ除去操作とワイヤ切断操作とを操作するための操作用の部品をそれぞれに用意する必要がなく、設備がシンプルであるとともに、低コストで、且つ、コンパクトな置台にできる。それに加えて、スパッタ除去の操作と溶接ワイヤ切断の操作とをそれぞれ行う際、操作レバーを異なる方向に回動させるので、誤操作を防ぐことができ、使い勝手がよい。
【００１６】
第２の発明では、電源を必要とせずに溶接トーチ先端に付着したスパッタを取り除くことができるので、電源が近くにない作業環境下において置台を使用することができるとともに、駆動モータの回転駆動動作のために電気回路を必要とする置台に比べてシンプルで、且つ、低コストな置台にできる。
【００１７】
第３の発明では、溶接ワイヤを切断する切断部が、スパッタを取り除くために操作する操作レバーの一部に孔加工を施すことで形成されているので、別途切断用の部品をトーチ保持体に取り付ける場合に比べて部品点数を減らすことができ、シンプルで、且つ、低コストな置台にできる。
【００１８】
第４の発明では、溶接ワイヤを切断する位置と中空部開口との間の距離が短くなるので、切断部による溶接ワイヤの切断後に溶接トーチを溶接トーチ置台に置く場合、作業者の溶接トーチの取り扱いが容易となり、作業者の負荷を減らすことができて使い勝手がよい。
【図面の簡単な説明】
【００１９】
【図１】本発明の実施形態に係る溶接トーチ置台の斜視図である。
【図２】図１のＡ−Ａ線における断面図である。
【図３】図２のＢ矢視図である。
【図４】図１のＣ−Ｃ線における断面図である。
【図５】図１のＤ−Ｄ線における断面図である。
【図６】溶接ワイヤ先端を切断する直前の状態を示す図２相当図である。
【図７】溶接ワイヤ先端を切断した直後の状態を示し、（ａ）は図２相当図、（ｂ）は図４相当図、（ｃ）は図５相当図である。
【図８】溶接トーチ置台に溶接トーチを置いた状態を示す図２相当図である。
【図９】溶接トーチ先端に付着するスパッタを取り除いている途中の状態を示し、（ａ）は図８相当図、（ｂ）は図４相当図、（ｃ）は図５相当図である。
【発明を実施するための形態】
【００２０】
以下、本発明の実施形態を図面に基づいて詳細に説明する。尚、以下の好ましい実施形態の説明は、本質的に例示に過ぎない。
【００２１】
図１は、本発明の実施形態に係る溶接トーチ置台１を示す。該溶接トーチ置台１は、半自動溶接機で溶接作業を行う作業者が溶接作業を中断する際（非溶接作業時）に溶接トーチ１０を置いておくためのものであり、斜め上方に延びる置台本体２と、該置台本体２を支持する側面視で略Ｖ字状をなす一対の支持フレーム７と、フロアに敷設され、上面に上記両支持フレーム７の下端縁が固定されたベースプレート８とを備えている。
【００２２】
上記溶接トーチ１０には、図８及び図９に示すように、円柱状のトーチ本体１０ａが設けられ、該トーチ本体１０ａの先端側には、円筒状のトーチノズル１０ｂが装着されている。
【００２３】
上記トーチ本体１０ａ先端中央には、先端から溶接ワイヤＷを送出可能なコンタクトチップ１１の基端側が螺合連結され、上記トーチノズル１０ｂは、上記コンタクトチップ１１を囲っている。
【００２４】
上記置台本体２は、図１及び図２に示すように、側面視で略Ｌ字状をなすトーチ保持体３を備え、該トーチ保持体３は、上端に開口する中空部３１ａを有する筒状部３１を備えている。
【００２５】
該筒状部３１の下半部分は、斜め下方に開口する略半割筒状をなしており、上記筒状部３１の上部内周面は、上端開口に行くにつれて緩やかに拡径するテーパ状をなしている。
【００２６】
上記筒状部３１の上部には、斜め下方に張り出すブロック形状の張出部３２が設けられている。
【００２７】
該張出部３２には、上記筒状部３１の筒中心線と交差する水平方向に延びる嵌挿孔３２ａが貫通形成され、該嵌挿孔３２ａには、細長い円柱状のレバー支軸４ａが回転可能に嵌挿されている。
【００２８】
また、上記張出部３２の上記中空部３１ａ周りには、上記レバー支軸４ａと交差する方向に延びて上記張出部３２の上面に開口するとともに上記嵌挿孔３２ａに連通する第１ワイヤ挿入孔３２ｂが形成され、該第１ワイヤ挿入孔３２ｂにおける内周面の上半部分は、上記張出部３２の上面側に行くにつれて次第に拡径するテーパ状をなしている。
【００２９】
さらに、上記張出部３２下部の上記第１ワイヤ挿入孔３２ｂに対応する位置には、上記張出部３２の下面に開口するとともに上記嵌挿孔３２ａに連通するワイヤ排出孔３２ｃが形成され、該ワイヤ排出孔３２ｃの断面形状は、上記第１ワイヤ挿入孔３２ｂの断面形状に対して約２倍の大きさとなっている。
【００３０】
上記筒状部３１の下端には、エアを供給することで回転するエアモータ５（駆動モータ）がボルトＢ１で固定され、上記エアモータ５の回転軸５ａは、上記筒状部３１の筒中心線上を筒状部３１側に延びている。
【００３１】
上記回転軸５ａには、図２及び図３に示すように、中心軸が上記回転軸５ａの回転軸心に合致する略円柱状のスパッタ除去体６が固定され、該スパッタ除去体６は、上記エアモータ５の回転動作によりその中心軸周りに回転するようになっている。
【００３２】
上記スパッタ除去体６の上部には、略半割円筒状をなす除去片６ａが回転軸心に沿って突設され、その先端縁は、略螺旋状に延びている。
【００３３】
また、上記除去片６ａの基端側内方には、上記エアモータ５側に窪む凹陥部６ｂが形成され、上記スパッタ除去体６の中途部には、当該スパッタ除去体６の径方向に延び、その外周面に開口するとともに上記凹陥部６ｂに連通するスパッタ排出孔６ｃが形成されている。
【００３４】
さらに、上記除去片６ａの基端側には、外側方に延びる平面視で略Ｃ字状をなす段差面６ｄが形成されている。
【００３５】
そして、上記中空部３１ａに上記溶接トーチ１０の先端側を挿入した際、上記スパッタ除去体６の除去片６ａは、図８及び図９に示すように、上記溶接トーチ１０の先端側から上記コンタクトチップ１１と上記トーチノズル１０ｂとの間に入り込むようになっている。
【００３６】
また、上記中空部３１ａに上記溶接トーチ１０の先端側を挿入するとともに、上記トーチノズル１０ｂの先端縁を上記段差面６ｄに当接させることによって上記トーチ保持体３が上記溶接トーチ１０を保持するようになっている。
【００３７】
上記張出部３２の一側面には、図１に示すように、厚みのある扁平な板状をなし、上半部分外周縁が略半円板状に湾曲するバルブボックス３３が設けられている。
【００３８】
該バルブボックス３３の上記嵌挿孔３２ａに対応する位置には、貫通孔３３ａが貫通形成され、該貫通孔３３ａには、上記レバー支軸４ａの一端側が回転可能に嵌挿している。
【００３９】
また、上記バルブボックス３３には、図４に示すように、下方に開口する第１凹部３３ｂ及び第２凹部３３ｃが上記貫通孔３３ａを挟んで一対形成され、上記第１凹部３３ｂ及び第２凹部３３ｃの上部は、それぞれ上記貫通孔３３ａに連通している。
【００４０】
上記第１凹部３３ｂの開口部分には、図１に示すように、可撓性を有する第１エア配管３４の一端が接続される一方、該第１エア配管３４の他端は、上記エアモータ５に接続されている。
【００４１】
また、上記第２凹部３３ｃの開口部分には、可撓性を有する第２エア配管３５の一端が接続される一方、該第２エア配管３５の他端側は、図示しないエアコンプレッサーに接続されている。
【００４２】
上記張出部３２の他側面には、図５に示すように、円板状をなす支持プレート４ｂが上記レバー支軸４ａの他端側に回転一体に固定されている。
【００４３】
上記支持プレート４ｂの上部には、円弧状をなすガイド孔４ｃが形成され、該ガイド孔４ｃには、上記張出部３２の他側面から突出するピン１４が嵌入している。
【００４４】
上記支持プレート４ｂには、細長い棒状をなす操作レバー４の先端が固定されている。
【００４５】
すなわち、上記操作レバー４は、上記レバー支軸４ａによって上記トーチ保持体３に回動可能に軸支されており、上下方向に延びる姿勢を基準位置Ｂｐとして一方側（Ｘ１方向）と他方側（Ｘ２方向）とにそれぞれ回動するようになっている。
【００４６】
そして、上記操作レバー４のＸ１方向又はＸ２方向への回動操作により上記支持プレート４ｂが回転すると、上記操作レバー４の基準位置Ｂｐからそれぞれ約４５度回転した位置において上記ガイド孔４ｃの各端部に上記ピン１４が当接してそれ以上の回転が規制されるようになっている（図７（ｃ），図９（ｃ）参照）。
【００４７】
上記レバー支軸４ａの回転軸心方向中央には、図２に示すように、径方向に延びて上記レバー支軸４ａの外周面２カ所に開口する第２ワイヤ挿入孔４ｄが貫通形成されている。
【００４８】
該第２ワイヤ挿入孔４ｄは、上記操作レバー４が基準位置Ｂｐの状態において、一方の開口が上記第１ワイヤ挿入孔３２ｂに、他方の開口が上記ワイヤ排出孔３２ｃに対応していて、その断面形状は、上記第１ワイヤ挿入孔３２ｂの断面形状と略同じ大きさとなっている。
【００４９】
そして、上記第２ワイヤ挿入孔４ｄの上方に位置する開口周縁が、本発明の切断部９を構成していて、図６及び図７に示すように、上記操作レバー４を基準位置Ｂｐにして上記第１ワイヤ挿入孔３２ｂに上記第２ワイヤ挿入孔４ｄを対応させ、且つ、上記溶接ワイヤＷを上記第１ワイヤ挿入孔３２ｂ及び上記第２ワイヤ挿入孔４ｄに挿入した状態で上記操作レバー４を基準位置ＢｐからＸ２方向に約４５度傾く回動位置Ｐ１まで回動させることにより、上記第１ワイヤ挿入孔３２ｂの嵌挿孔３２ａ側周縁と上記切断部９とで上記溶接ワイヤＷを挟み込んで切断するようになっている。
【００５０】
また、上記レバー支軸４ａの回転軸心方向一端側には、図４に示すように、上記第２ワイヤ挿入孔４ｄの延長方向に対して回転軸心周りに４５度ずれた径方向に延びて上記レバー支軸４ａの外周面の２カ所に開口するバルブ孔４ｅが貫通形成されている。
【００５１】
そして、上記バルブ孔４ｅ、第１凹部３３ｂ、第２凹部３３ｃ、第１エア配管３４及び第２エア配管３５で本発明のエア通路部１２が構成され、上記操作レバー４を基準位置ＢｐからＸ１方向に約４５度傾く回動位置Ｐ２まで回動させると、図９（ｂ）に示すように、上記バルブ孔４ｅの一方の開口が上記第１凹部３３ｂの上記貫通孔３３ａとの連通部分に、他方の開口が上記第２凹部３３ｃの上記貫通孔３３ａとの連通部分に対応し、図示しないエアコンプレッサーから上記エア通路部１２を介して上記エアモータ５にエアが供給されるようになり、上記エアモータ５が起動するようになっている。
【００５２】
一方、上記操作レバー４を回動位置Ｐ２から基準位置ＢｐまでＸ２方向に回動させると、図４に示すように、上記バルブ孔４ｅの一方の開口が上記第１凹部３３ｂの上記貫通孔３３ａとの連通部分に対応しなくなるとともに、他方の開口が上記第２凹部３３ｃの上記貫通孔３３ａとの連通部分に対応しなくなって、図示しないエアコンプレッサーから上記エアモータ５に対してエアが供給されないようになり、上記エアモータ５の回転が停止するようになっている。
【００５３】
すなわち、上記レバー支軸４ａの回転軸心方向一端側は、上記エア通路部１２の中途部に位置する本発明のモータ操作部１３を構成していて、上記レバー支軸４ａの回転動作によって上記エア通路部１２を開閉する弁体を構成している。
【００５４】
次に、上記溶接トーチ置台１を用いた溶接トーチ１０の先端側に付着するスパッタの除去作業について説明する。
【００５５】
まず、作業者は、溶接作業を中断する際、溶接トーチ置台１の操作レバー４が基準位置Ｂｐに位置するのを確認した後、溶接トーチ１０をトーチ保持体３の中空部３１ａに先端側から挿入し、溶接トーチ１０をトーチ保持体３に保持させる。その際、置台本体２は斜め上方に向かって延びるよう傾いているので、作業者は、溶接トーチ１０を中空部３１ａに挿入し易い。
【００５６】
次に、作業者は、図９（ａ）に示すように、操作レバー４を基準位置Ｂｐから回動位置Ｐ２までＸ１方向に約４５度回動させる。すると、図９（ｂ）に示すように、エア通路部１２を介して図示しないエアコンプレッサーからエアモータ５にエアが供給されて当該エアモータ５がスパッタ除去体６を回転させ、当該スパッタ除去体６の除去片６ａがコンタクトチップ１１とトーチノズル１０ｂとの間に付着するスパッタを剥ぎ取る。
【００５７】
スパッタ除去体６によってコンタクトチップ１１とトーチノズル１０ｂとの間から剥ぎ取られたスパッタは、上記スパッタ除去体６の外側面を伝って下方に落ちて除去されるか、又は、除去片６ａ内方、凹陥部６ｂ、スパッタ排出孔６ｃを順に通って下方に落ちて除去される。
【００５８】
しかる後、作業者は、操作レバー４を回動位置Ｐ２から基準位置ＢｐまでＸ２方向に約４５度回動させる。すると、図４に示すように、モータ操作部１３によって図示しないエアコンプレッサーからエアモータ５にエアが供給されなくなり、エアモータ５が停止してスパッタ除去作業が終了する。
【００５９】
次に、上記溶接トーチ置台１を用いた溶接ワイヤＷの切断作業について説明する。
【００６０】
まず、作業者は、溶接作業中断時に溶接トーチ１０先端に螺合連結されたコンタクトチップ１１を交換する際、溶接トーチ置台１の操作レバー４が基準位置Ｂｐに位置するのを確認した後、図６に示すように、溶接トーチ１０のコンタクトチップ１１先端から飛び出す溶接ワイヤＷを第１ワイヤ挿入孔３２ｂ及び第２ワイヤ挿入孔４ｄに挿入する。
【００６１】
しかる後、作業者は、操作レバー４を基準位置Ｂｐから回動位置Ｐ１までＸ２方向に約４５度回動させる。すると、図７（ａ）に示すように、上記第１ワイヤ挿入孔３２ｂの嵌挿孔３２ａ側周縁と上記切断部９とで上記溶接ワイヤＷを挟み込んで切断する。このとき、図７（ｂ）に示すように、バルブ孔４ｅの一方の開口が上記第１凹部３３ｂの上記貫通孔３３ａとの連通部分に対応せず、他方の開口が上記第２凹部３３ｃの上記貫通孔３３ａとの連通部分に対応ないのでエアモータ５は起動しない。
【００６２】
溶接ワイヤＷの切断部分Ｗ１は、第２ワイヤ挿入孔４ｄの下方に位置する開口からワイヤ排出孔３２ｃを介して下方に落下するので、作業者はこれら落下した溶接ワイヤＷの切断部分Ｗ１を回収して捨てる。
【００６３】
しかる後、作業者は、操作レバー４を回動位置Ｐ１から基準位置ＢｐまでＸ１方向に約４５度回動させた後、溶接トーチ１０を移動させて当該溶接トーチ１０を先端側から中空部３１ａに挿入して溶接トーチ１０を溶接トーチ置台１に置きワイヤ切断作業を終了する。
【００６４】
以上より、本発明の実施形態によると、中空部３１ａに溶接トーチ１０を挿入した状態で操作レバー４をＸ１方向に回動させると、スパッタ除去体６が回転しながらコンタクトチップ１１又はトーチノズル１０ｂに付着したスパッタを剥がすので、溶接トーチ１０を溶接トーチ置台１に置いた状態で溶接トーチ１０の先端側に付着するスパッタを簡単に取り除くことができる。
【００６５】
また、溶接トーチ１０先端から飛び出す溶接ワイヤＷを切断する場合には、レバー支軸４ａに設けられた切断部９で行うことができる。
【００６６】
さらに、スパッタを除去する機能と溶接ワイヤＷを切断する機能とを１つの操作レバー４のレバー支軸４ａに集約しており、スパッタ除去操作とワイヤ切断操作とを操作するための操作用の部品をそれぞれに用意する必要がなく、設備がシンプルであるとともに、低コストで、且つ、コンパクトな溶接トーチ置台１にできる。
【００６７】
それに加えて、スパッタ除去の操作と溶接ワイヤＷ切断の操作とをそれぞれ行う際、操作レバー４を異なる方向に回動させるので、誤操作を防ぐことができ、使い勝手がよい。
【００６８】
また、電源を必要とせずに溶接トーチ１０先端に付着したスパッタを取り除くことができるので、電源が近くにない作業環境下において溶接トーチ置台１を使用することができるとともに、エアモータ５の回転駆動動作に電気回路を必要とする溶接トーチ置台に比べてシンプルで、且つ、低コストな溶接トーチ置台１にできる。
【００６９】
また、溶接ワイヤＷを切断する切断部９が、スパッタを取り除くために操作する操作レバー４の一部に孔加工を施すことで形成されているので、別途切断用の部品をトーチ保持体３に取り付ける場合に比べて部品点数を減らすことができ、シンプルで、且つ、低コストな溶接トーチ置台１にできる。
【００７０】
さらに、第１ワイヤ挿入孔３２ｂは、中空部３１ａの開口周りにあるので、溶接ワイヤＷを切断する位置と中空部３１ａの開口との間の距離が短くなる。したがって、切断部９による溶接ワイヤＷの切断後に溶接トーチ１０を溶接トーチ置台１に置く場合、作業者の溶接トーチ１０の取り扱いが容易となり、作業者の負荷を減らすことができて使い勝手がよい。
【産業上の利用可能性】
【００７１】
本発明は、半自動溶接機の溶接トーチを作業者が非溶接作業時に置いておく溶接トーチ置台に適している。
【符号の説明】
【００７２】
１        溶接トーチ置台
３        トーチ保持体
４        操作レバー
４ａ        レバー支軸
４ｄ        第２ワイヤ挿入孔
５        エアモータ（駆動モータ）
６        スパッタ除去体  
９        切断部
１０        溶接トーチ
１０ａ        トーチ本体
１０ｂ        トーチノズル
１１        コンタクトチップ
１２        エア通路部
１３        モータ操作部
３１ａ        中空部
３２ａ        嵌挿孔
３２ｂ        第１ワイヤ挿入孔
Ｗ        溶接ワイヤ
【図１】
2015205314.tif 000003
【図２】
2015205314.tif 000004
【図３】
2015205314.tif 000005
【図４】
2015205314.tif 000006
【図５】
2015205314.tif 000007
【図６】
2015205314.tif 000008
【図７】
2015205314.tif 000009
【図８】
2015205314.tif 000010
【図９】
2015205314.tif 000011